(57)【要約】【課題】仮に、視聴者が見逃したコンテンツを視聴するときに対価が必要な場合でも、視聴者が対価を支払うことなく、コンテンツを視聴可能とする放送送受信システム、受信装置及び再視聴制御方法を提供すること。【解決手段】本発明にかかる放送送受信システムは、放送信号を送信する送信装置と、送信装置から送信された放送信号を受信する受信装置とを備えた放送送受信システムである。送信装置は、放送信号に、放送信号に含まれるコンテンツ情報に対応し、コンテンツ情報に基づいて再生されるコンテンツを再視聴する権利を示す再視聴権利情報を含めて送信する送信部を有する。受信装置は、放送信号を受信する受信部と、放送信号に含まれるコンテンツ情報が正常受信されたか否かを判定する正常受信判定部と、コンテンツ情報が正常受信されなかったと判定した場合に、コンテンツ情報に対応する再視聴権利情報を有効化する再視聴権利情報制御部とを有する。【選択図】図１
2011259220.tif 000002
【特許請求の範囲】
【請求項１】
コンテンツ情報を含む放送信号を送信する送信装置と、前記送信装置から送信された放送信号を受信する受信装置と、を備えた放送送受信システムであって、
前記送信装置は、
前記放送信号に、当該放送信号に含まれるコンテンツ情報に対応し、当該コンテンツ情報に基づいて再生されるコンテンツを再視聴する権利を示す再視聴権利情報を含めて送信する送信部を有し、
前記受信装置は、
前記送信装置の送信部より送信された放送信号を受信する受信部と、
前記受信部により受信された放送信号に含まれるコンテンツ情報が正常受信されたか否かを判定する正常受信判定部と、
前記正常受信判定部によりコンテンツ情報が正常受信されなかったと判定された場合に、当該コンテンツ情報に対応する再視聴権利情報を有効化する再視聴権利情報制御部と、を有する
放送送受信システム。
【請求項２】
前記再視聴権利情報制御部は、前記有効化した再視聴権利情報を使用することによって、任意の再視聴手段から当該有効化した再視聴権利情報に対応するコンテンツ情報を取得し、取得したコンテンツ情報に基づいてコンテンツを再生する請求項１に記載の放送送受信システム。
【請求項３】
前記再視聴権利情報は、前記コンテンツ情報を提供するコンテンツ情報提供装置から、前記有効化した再視聴権利情報に対応するコンテンツ情報を取得する場合に、当該コンテンツ情報提供装置に対して送信が必要な再視聴時使用情報を含み、
前記再視聴権利情報制御部は、前記有効化した再視聴権利情報に含まれる再視聴時使用情報を前記コンテンツ情報提供装置に送信し、前記コンテンツ情報提供装置が前記再視聴権利情報制御部からの再視聴時使用情報に応じて送信したコンテンツ情報を取得する請求項２に記載の放送送受信システム。
【請求項４】
前記再視聴権利情報は、暗号化されたコンテンツ情報を復号化するときに使用する復号化鍵を示す再視聴時使用情報を含み、
前記放送送受信システムは、前記暗号化されたコンテンツ情報を格納する光ディスクを再生する光ディスク再生装置をさらに備え、
前記再視聴権利情報制御部は、前記有効化した再視聴権利情報を前記光ディスク再生装置に送信し、
前記光ディスク再生装置は、前記光ディスクから前記再視聴権利情報制御部から送信された再視聴権利情報に対応するコンテンツ情報を取得し、前記再視聴権利情報制御部から送信された再視聴権利情報に含まれる再視聴時使用情報に基づいて、取得したコンテンツ情報を復号化して前記再視聴権利情報制御部に送信する請求項２に記載の放送送受信システム。
【請求項５】
前記再視聴権利情報は、前記コンテンツ情報を提供するコンテンツ情報提供装置から、前記有効化した再視聴権利情報に対応するコンテンツ情報を取得する場合に、当該コンテンツ情報提供装置に対して送信が必要な再視聴時使用情報を含み、
前記放送送受信システムは、前記再視聴権利情報制御部が有効化した再視聴権利情報を取得して、取得した再視聴権利情報に含まれる再視聴時使用情報を前記コンテンツ情報提供装置に送信することによって、当該取得した再視聴権利情報に対応し、当該送信した再視聴時使用情報に応じて前記コンテンツ情報提供装置が送信したコンテンツ情報を取得してコンテンツ情報格納部に格納するコンテンツ情報記録装置をさらに備えた請求項１に記載の放送送受信システム。
【請求項６】
前記再視聴権利情報制御部は、前記有効化した再視聴権利情報を前記コンテンツ情報記録装置に送信し、
前記コンテンツ情報記録装置は、前記再視聴権利情報制御部から送信された再視聴権利情報を取得する請求項５に記載の放送送受信システム。
【請求項７】
前記再視聴権利情報制御部は、前記有効化した再視聴権利情報を示すバーコードを表示装置に表示し、
前記放送送受信システムは、前記表示装置に表示されたバーコードを撮影して、撮影したバーコードを示すバーコード情報を生成する撮影部と、前記撮影部が生成したバーコード情報を無線通信手段によって前記コンテンツ情報記録装置に送信する無線通信部と、を有する携帯端末装置をさらに備え、
前記コンテンツ情報記録装置は、前記無線通信部から送信されたバーコード情報に基づいて、前記再視聴権利情報制御部が有効化した再視聴権利情報を生成し、生成した再視聴権利情報を取得する請求項５に記載の放送送受信システム。
【請求項８】
前記コンテンツ情報格納部は、光ディスク又は記憶装置である請求項５乃至７のいずれか１項に記載の放送送受信システム。
【請求項９】
前記コンテンツ情報提供装置は、ＶＯＤ(Video On Demand)サービスを提供するＶＯＤサービス提供装置であり、
前記再視聴時使用情報は、前記ＶＯＤサービス提供装置に送信するアクセスコード、ＵＲＬ(Uniform Resource Locator)又はクレジットカード番号を含む請求項３、５乃至８のいずれか１項に記載の放送送受信システム。
【請求項１０】
前記再視聴権利情報は、前記正常受信されなかったコンテンツ情報に基づいて再生されるコンテンツの再視聴手段を示す再視聴手段情報と、当該再視聴手段情報が示す再視聴手段によってコンテンツを再視聴する場合に使用される前記再使用時使用情報と、を対応付けて複数含み、
前記再視聴権利情報制御部は、前記有効化した再視聴権利情報に含まれる再視聴手段情報に基づいて、再視聴手段を表示装置に表示し、
前記受信装置は、前記表示装置に表示された再視聴手段から視聴者が前記コンテンツを再視聴する再視聴手段を選択する入力を受け、当該入力内容を示す入力内容情報を前記再視聴権利情報制御部に出力する入力部をさらに有し、
前記再視聴権利情報制御部は、前記入力部から出力された入力内容情報に基づいて、前記視聴者が選択した再視聴手段を特定し、特定した再視聴手段から前記有効化した再視聴権利情報に対応するコンテンツ情報を取得する請求項３又は４に記載の放送送受信システム。
【請求項１１】
前記正常受信判定部は、前記受信部により受信された放送信号に基づいて、Ｃ／Ｎ(Carrier/Noise)比を検出し、検出したＣ／Ｎ比が所定の閾値未満の場合に、当該放送信号に含まれるコンテンツ情報が正常受信されなかったと判定する請求項１乃至１０のいずれか１項に記載の放送送受信システム。
【請求項１２】
前記放送信号は、前記コンテンツ情報及び当該コンテンツ情報に対応する前記再視聴権利情報を複数含み、
前記再視聴権利情報の内容は、前記送信部が送信する順に規則的に変化し、
前記受信装置は、前回受信した第１の再視聴権利情報を格納する記憶部をさらに有し、
前記正常受信判定部は、前記第１の再視聴権利情報の内容に対して、当該第１の再視聴情報の次に受信した第２の再視聴情報の内容が規則的に変化していない場合に、前記コンテンツ情報の受信抜けが発生したと判定し、
前記再視聴権利情報制御部は、前記受信部よって第１の再視聴権利情報が受信された場合に、当該第１の再視聴権利情報を前記記憶部に格納するとともに、前記正常受信判定部が前記コンテンツ情報の受信抜けが発生したと判定した場合に、前記記憶部に格納された第１の再視聴権利情報又は第２の再視聴権利情報に基づいて、前記受信抜けのコンテンツ情報に対応する第３の再視聴権利情報を生成して、生成した第３の再視聴権利情報を有効化する請求項１乃至１１のいずれか１項に記載の放送送受信システム。
【請求項１３】
前記再視聴権利情報は、当該再視聴権利情報に含まれる情報に基づいて生成したハッシュ値又はデジタル署名を示す署名情報を含み、
前記再視聴権利情報制御部は、前記再視聴権利情報に含まれる署名情報に基づいて、当該再視聴権利情報が破壊又は改ざんされたか否かを判定し、当該判定結果に基づいて再視聴権利情報を有効化するか否かを判定する請求項１乃至１２のいずれか１項に記載の放送送受信システム。
【請求項１４】
前記コンテンツ情報は、番組、又は、番組に含まれる場面を再生する情報である請求項１乃至１３のいずれか１項に記載の放送送受信システム。
【請求項１５】
コンテンツ情報と、当該コンテンツ情報に対応し、当該コンテンツ情報に基づいて再生されるコンテンツを再視聴する権利を示す再視聴権利情報と、を含む放送信号を受信する受信部と、
前記受信部により受信された放送信号に含まれるコンテンツ情報が正常受信されたか否かを判定する正常受信判定部と、
前記正常受信判定部によりコンテンツ情報が正常受信されなかったと判定された場合に、当該コンテンツ情報に対応する再視聴権利情報を有効化する再視聴権利情報制御部と、を有する
受信装置。
【請求項１６】
コンテンツ情報を含む放送信号に、当該放送信号に含まれるコンテンツ情報に対応し、当該コンテンツ情報に基づいて再生されるコンテンツを再視聴する権利を示す再視聴権利情報を含めて送信し、
前記送信された放送信号を受信し、
前記受信した放送信号に含まれるコンテンツ情報を正常受信したか否かを判定し、
前記受信した放送信号に含まれるコンテンツ情報を正常受信しなかったと判定した場合に、当該コンテンツ情報に対応する再視聴権利情報を有効化する
再視聴制御方法。
【発明の詳細な説明】
【技術分野】
【０００１】
本発明は、放送送受信システム、受信装置及び再視聴制御方法に関する。
【背景技術】
【０００２】
２０１１年のアナログ放送終了に伴い、アナログ放送からデジタル放送へインフラの移行が進んでいる。また、デジタル化の恩恵によってインターネットなどの他のデジタルインフラとの融合がテレビ受信機などで進んできている。
【０００３】
そのような中、デジタル放送においては、降雨時などのＣ／Ｎ(Carrier/Noise)比が低下した状態ではアナログ放送とは異なり、映像や音声の視聴が困難となってしまう場合がある。このため、デジタル放送ではＣ／Ｎ比が低下した状態でのさまざまな仕組みが組み込まれている。しかし、豪雨などによって電波が届きにくい状態の場合には、番組の視聴はより困難となり、視聴者はその番組を見逃してしまう。また、突然の重大ニュースの発生などによって、番組自体が途中で予定と変わってしまい、番組の最後の方だけ見逃してしまうこともある。
【０００４】
このような不測の事態によって見逃してしまった番組の再視聴を可能とするアクトビラなどの商用のＶＯＤ(Video On Demand)サービスがある。しかし、視聴者が見逃してしまった番組をＶＯＤサービスによって視聴する場合、別途契約をして有料で再配信番組を視聴する必要がある。また、視聴者が見逃してしまった番組を、その番組が収録されたＤＶＤ(Digital Versatile Disc)等の光ディスクによって視聴する場合も、光ディスクを購入する必要がある。このように、視聴者が番組を見逃してしまうと、視聴者に意図しない損失が発生してしまう。つまり、視聴者は、見逃してしまったコンテンツを再視聴するための対価を支払う必要がでてしまう。
【０００５】
また、視聴者が番組を見逃してしまうということは、その番組において放送されるＣＭ(Commercial Message)も視聴者が見逃してしまうことになる。つまり、コンテンツ作成者にとっても、視聴者にＣＭを視聴してもらえないという意図しない損失が発生してしまうことになる。
【０００６】
特許文献１には、降雨時の低Ｃ／Ｎ比時にも画像表示を行うことができるテレビジョン放送送受信システムが開示されている。このテレビジョン放送送受信システムの送信装置は、高階層情報として放送する放送番組本体のデータと、複数の番組本体の映像コンテンツを所定の順序で１画面に圧縮配置した映像を低階層情報として伝送するモザイクコンポーネントと、を多重化して階層化伝送信号として送出する。このテレビジョン放送送受信システムの受信装置は、送信装置から受信した階層化伝送信号のＣ／Ｎ比が一定値以下の場合、オペレータが選択した番組を低階層情報のモザイクコンポーネント内から切り出して復号／拡大して表示する。
【０００７】
しかし、特許文献１に開示のテレビジョン放送送受信システムは、一度圧縮した番組を復号／拡大して表示するようにしているため、映像が劣化してしまうという問題がある。また、豪雨などによる影響が低階層情報にまで及ぶことがあるため、番組の見逃しを完全になくすことはできない。
【先行技術文献】
【特許文献】
【０００８】
【特許文献１】特開平１１−１３６６４５号公報
【発明の概要】
【発明が解決しようとする課題】
【０００９】
背景技術として説明したように、降雨等の不測の事態によって見逃してしまったコンテンツを視聴者が視聴する場合に、その視聴に対して視聴者が対価を支払う必要がでてしまうという問題がある。
【課題を解決するための手段】
【００１０】
本発明の第１の態様にかかる放送送受信システムは、コンテンツ情報を含む放送信号を送信する送信装置と、前記送信装置から送信された放送信号を受信する受信装置と、を備えた放送送受信システムであって、前記送信装置は、前記放送信号に、当該放送信号に含まれるコンテンツ情報に対応し、当該コンテンツ情報に基づいて再生されるコンテンツを再視聴する権利を示す再視聴権利情報を含めて送信する送信部を有し、前記受信装置は、前記送信装置の送信部より送信された放送信号を受信する受信部と、前記受信部により受信された放送信号に含まれるコンテンツ情報が正常受信されたか否かを判定する正常受信判定部と、前記正常受信判定部によりコンテンツ情報が正常受信されなかったと判定された場合に、当該コンテンツ情報に対応する再視聴権利情報を有効化する再視聴権利情報制御部と、を有するものである。
【００１１】
本発明の第２の態様にかかる受信装置は、コンテンツ情報と、当該コンテンツ情報に対応し、当該コンテンツ情報に基づいて再生されるコンテンツを再視聴する権利を示す再視聴権利情報と、を含む放送信号を受信する受信部と、前記受信部により受信された放送信号に含まれるコンテンツ情報が正常受信されたか否かを判定する正常受信判定部と、前記正常受信判定部によりコンテンツ情報が正常受信されなかったと判定された場合に、当該コンテンツ情報に対応する再視聴権利情報を有効化する再視聴権利情報制御部と、を有するものである。
【００１２】
本発明の第３の態様にかかる再視聴制御方法は、コンテンツ情報を含む放送信号に、当該放送信号に含まれるコンテンツ情報に対応し、当該コンテンツ情報に基づいて再生されるコンテンツを再視聴する権利を示す再視聴権利情報を含めて送信し、前記送信された放送信号を受信し、前記受信した放送信号に含まれるコンテンツ情報を正常受信したか否かを判定し、前記受信した放送信号に含まれるコンテンツ情報を正常受信しなかったと判定した場合に、当該コンテンツ情報に対応する再視聴権利情報を有効化するものである。
【００１３】
上述した各態様によれば、仮に、視聴者が見逃してしまったコンテンツを視聴するときに対価が必要とされている場合であっても、受信装置は、有効化したチケットを使用して、視聴者が見逃してしまったコンテンツを再生することができる。
【発明の効果】
【００１４】
本発明の上述した各態様によれば、仮に、視聴者が見逃してしまったコンテンツを視聴するときに対価が必要とされている場合であっても、視聴者が対価を支払うことなく、見逃してしまったコンテンツの視聴を可能とする放送送受信システム、受信装置及び再視聴制御方法を提供することができる。
【図面の簡単な説明】
【００１５】
【図１】本発明の実施の形態１にかかる放送送受信システムの構成図である。
【図２】本発明の実施の形態１にかかる送信装置の構成図である。
【図３】本発明の実施の形態１にかかるチケットが付加されたトランスポートストリームの一例を示す図である。
【図４】本発明の実施の形態１にかかるチケットの内容の一例を示す図である。
【図５】本発明の実施の形態１にかかる受信装置の構成図である。
【図６】本発明の実施の形態１にかかる受信装置のデジタル放送信号受信処理のフローチャートである。
【図７】本発明の実施の形態１にかかる放送送受信システムの再視聴処理のフローチャートである。
【図８】本発明の実施の形態２にかかる放送送受信システムの構成図である。
【図９】本発明の実施の形態２にかかる受信装置３の構成図である。
【図１０】本発明の実施の形態２にかかる記録再生装置６の構成図である。
【図１１】本発明の実施の形態３にかかる放送送受信システムの構成図である。
【図１２】本発明の実施の形態３にかかる記録再生装置６の構成図である。
【図１３】本発明の実施の形態３にかかる放送送受信システムの再視聴コンテンツ記録処理を示すフローチャートである。
【図１４】本発明の実施の形態４にかかる放送送受信システムの構成図である。
【図１５】本発明の実施の形態４にかかる記録再生装置６の構成図である。
【図１６】本発明の実施の形態４にかかる携帯端末装置７の構成図である。
【図１７】本発明の実施の形態４にかかる放送送受信システムの再視聴コンテンツ記録処理を示すフローチャートである。
【発明を実施するための形態】
【００１６】
本発明の実施の形態１．
図１を参照して、本発明の実施の形態１にかかる放送送受信システムについて説明する。図１は、本発明の実施の形態１にかかる放送送受信システムの構成図である。
【００１７】
放送送受信システム１は、送信装置２及び受信装置３を備える。受信装置３は、セットトップボックス４と接続されている。セットトップボックス４は、インターネット、電話回線網等のネットワークを介して、ＶＯＤ(Video On Demand)サーバ５と接続されている。
【００１８】
送信装置２は、デジタル放送信号を受信装置３に送信する。デジタル放送信号は、映像及び音声等から構成されるコンテンツを示すコンテンツ情報を含む。送信装置２は、例えば、放送局である。また、デジタル放送信号は、例えば、地上波デジタル放送信号、ＢＳ(Broadcasting Satellite)デジタル放送信号、ＣＳ(Communications Satellite)デジタル放送信号、ワンセグ放送信号、又は、地上デジタル音声放送信号等である。
受信装置３は、送信装置２から送信されたデジタル放送信号を受信する。受信装置３は、受信したデジテル放送信号に含まれるコンテンツ情報に基づいて、コンテンツを再生する。また、受信装置３は、ＶＯＤサーバ５に対する要求信号をセットトップボックス４に送信する。受信装置３は、例えば、テレビ受像機である。
【００１９】
セットトップボックス４は、コンテンツを示すコンテンツ信号を、ＶＯＤサーバ５から受信する。セットトップボックス４は、受信したコンテンツ信号を受信装置３で再生可能な信号に変換して受信装置３に送信する。また、セットトップボックス４は、受信装置３から送信された要求信号を、ＶＯＤサーバ５が解釈できるような形式に変換してＶＯＤサーバ５に送信する。
ＶＯＤサーバ５は、受信装置３に対してビデオオンデマンドサービスを提供する。ＶＯＤサーバ５は、ビデオオンデマンドサービスとして提供するコンテンツを示すコンテンツ信号をセットトップボックス４に送信する。
【００２０】
続いて、図２を参照して、本発明の実施の形態１にかかる送信装置２について説明する。図２は、本発明の実施の形態１にかかる送信装置２の構成図である。
【００２１】
送信装置２は、多重化部２１及び伝送送信部２２を有する。
多重化部２１は、トランスポートストリーム８１〜８４のスクランブル及び多重化を行うことによって、デジタル放送信号を生成する。トランスポートストリーム８１〜８４は、１つ又は複数の番組を示す情報である。例えば、トランスポートストリーム８１は、事業者Ａの番組１を含み、トランスポートストリーム８２は、事業者Ａの番組２を含み、トランスポートストリーム８３は、事業者Ｂの番組１を含み、トランスポートストリーム８４は、事業者Ｂの番組２を含む。
【００２２】
多重化部２１は、トランスポートストリーム８１〜８４を多重化する際に、トランスポートストリーム８１〜８４に含まれるコンテンツ情報のそれぞれにチケットを対応付けて付加する。ここで、チケットとは、視聴者が見逃してしまったコンテンツを再視聴する権利を示す情報である。多重化部２１は、生成したデジタル放送信号を伝送送信部２２に出力する。多重化部２１が生成するデジタル放送信号は、例えば、高階層情報と低階層情報とを含む階層化伝送信号である。好ましくは、チケットを低階層情報としてトランスポートストリーム８１〜８４に付加するとよい。そのようにすることで、降雨等の影響によってチケットの内容が破壊される可能性を低減することができる。
【００２３】
伝送送信部２２は、多重化部２１から出力されたデジタル放送信号を取得する。伝送送信部２２は、取得したデジタル放送信号を受信装置３に送信する。すなわち、多重化部及び伝送送信部は、受信装置３に対する送信部として機能する。
トランスポートストリーム８１〜８４及びチケットは、例えば、送信装置２が有する記憶装置(図示せず)に予め格納されている。多重化部２１は、記憶装置に格納されるトランスポートストリーム８１〜８４及びチケットを取得して、トランスポートストリーム８１〜８４の多重化及びチケットの付加を行う。記憶装置は、例えば、メモリ又はハードディスク等である。
【００２４】
続いて、図３を参照して、本発明の実施の形態１にかかるトランスポートストリームにチケットを付加する処理について説明する。図３は、チケットが付加されたトランスポートストリームの一例を示す図である。
【００２５】
トランスポートストリームは、複数の番組１０１〜１０ｍを含む。番組１０１〜１０ｍは、それぞれ複数の場面１１１〜１１ｎを含む。ｎ及びｍは、任意の正整数である。ここで、場面とは、番組を任意の区間毎に区切った単位である。例えば、場面は、番組をＣＭで区切った単位としてもよい。つまり、トランスポートストリームは、番組を再生する番組情報を複数含んだ情報であるとも言える。また、番組情報は、場面を再生する場面情報を複数含んだ情報であるとも言える。また、図３では、番組１０２に含まれる場面１１１〜１１ｎについて例示している。なお、番組１０１、１０３〜１０ｍに含まれる場面は、番組１０２と同様であるため、場面の図示及び説明を省略する。
【００２６】
多重化部２１は、トランスポートストリームに含まれる情報を先頭から順に確認して、場面の区切りを検出する。例えば、トランスポートストリームに含まれるＳＩ(Service Information)情報にＣＭであることを示す情報を予め含めておくようにすることで、場面の区切りの検出を可能とする。
多重化部２１は、場面の区切りを検出した場合、その場面の区切り毎にチケットをトランスポートストリームに含める。例えば、チケット１２１〜１２ｎは、場面１１１〜１１ｎのそれぞれに対応するように予め用意しておく。つまり、多重化部２１は、場面毎にチケットを付加する。言い換えると、本実施の形態１では、コンテンツ情報が場面情報であり、コンテンツ情報によって再生されるコンテンツが場面である場合について例示している。
【００２７】
以上に説明したように、送信装置２は、場面毎にチケットを対応付けて付加する。受信装置３は、視聴者がいずれかの場面を見逃してしまうような状況が発生した場合、後述するように、その場面に対応するチケットを使用して、見逃してしまった場面を再視聴することができるようにする。
【００２８】
続いて、図４を参照して、本発明の実施の形態１にかかるチケットの内容について説明する。図４は、本発明の実施の形態１にかかるチケットの内容の一例を示す図である。
【００２９】
チケットは、番組情報２０１、チケット情報２０２、再視聴手段情報２１１〜２１ｋ、再視聴手段パラメータ情報２２１〜２２ｋ及び署名情報を含む。ｋは、任意の正整数である。
番組情報２０１は、チケットに対応する番組を示す情報である。番組情報２０１は、例えば、番組名や、番組を一意に特定する番号又は文字列等の情報である。
チケット情報２０２は、チケットを一意に特定する情報である。チケット情報２０２は、例えば、チケットを一意に特定する番号又は文字列等を含む。本実施の形態１では、チケットが場面毎に付加されるため、チケット情報２０２は、場面を一意に特定する情報とも言える。チケット情報２０２は、チケットのデジタル署名を含めるようにしてもよい。チケット情報２０２は、例えば、再視聴するときの認証又は照合等に使用される情報である。
【００３０】
再視聴手段情報２１１〜２１ｋは、チケットに対応する場面を視聴者が見逃してしまった場合に、その場面を再視聴する手段を示す情報である。再視聴手段情報２１１〜２１ｋは、例えば、再視聴する手段を特定する番号又は文字列等の情報である。例えば、視聴者が見逃してしまった場面を再視聴する手段としてＶＯＤが提供されている場合、再視聴手段情報２１１〜２１ｋのいずれかに、再視聴をする手段が"ＶＯＤ"であることを示す固有の番号又は文字列が含まれる。その他の再視聴手段がある場合、それらの再視聴手段を特定する固有の番号が、他の再視聴情報に格納される。
【００３１】
再視聴手段パラメータ情報２２１〜２２ｋは、再視聴手段情報２１１〜２１ｋが示す再視聴手段によって、見逃してしまった場面を再視聴する場合に使用する情報を示す。言い換えると、再視聴手段パラメータ情報は、対応する再視聴手段情報が示す再視聴手段から、見逃してしまった場面を示すコンテンツ情報を取得するときに使用する情報である。例えば、再視聴手段情報２１１が"ＶＯＤ"であることを示している場合、それに対応する再視聴手段パラメータ情報２２１は、ＶＯＤサーバ５からコンテンツ情報を取得するために、ＶＯＤサーバ５に対して送信が必要な情報となる。
【００３２】
例えば、ＩＤ及びパスワード等のアクセスコード、ＶＯＤにおいてチケットと対応付けられた場面を再視聴できるＵＲＬ(Uniform Resource Locator)又はＶＯＤにおいてチケットと対応付けられた場面が放送されるチャンネル及び放送日時、及び、ＶＯＤによる再視聴にかかる対価が視聴者に代わって支払われるクレジットカード番号、等を示す情報である。例えば、番組及び場面を放送するチャンネル及び放送日時が決まっているＶＯＤサービスを再視聴手段とする場合に、再視聴手段パラメータ情報２２１に、チケットと対応付けられた場面が放送されるチャンネル及び放送日時が含まれる。
【００３３】
署名情報２０３は、チケットのデジタル署名である。つまり、署名情報２０３の値を確認することによって、チケットの内容が破壊及び改ざん等されていなかどうかを確認することができる。署名情報２０３は、暗号化せずに、単なるハッシュ値としてもよい。これによれば、チケットの内容が破壊されていることを確認することができる。
【００３４】
続いて、図５を参照して、本発明の実施の形態１にかかる受信装置３について説明する。図５は、本発明の実施の形態１にかかる受信装置３の構成図である。
【００３５】
受信装置３は、アンテナ３０、チューナ３１、デジタル復調回路３２、誤り訂正・デスクランブル回路３３、多重分離回路３４、ＭＰＥＧデコーダ３５、フレームバッファ回路３６、受信状態判定回路３７、制御回路３８、チケット記憶部３９及びインタフェース部４０を有する。
【００３６】
アンテナ３０は、送信装置２から送信されたデジタル放送信号を受信して、受信したデジタル放送信号をチューナ３１に出力する。アンテナ３０は、受信部として機能する。
チューナ３１は、アンテナ３０から出力されたデジタル放送信号から選局された放送チャンネルのトランスポートストリームを抽出する。チューナ３１は、抽出したトランスポートストリームをデジタル復調回路３２に出力する。
【００３７】
デジタル復調回路３２は、チューナ３１から出力されたトランスポートストリームをデジタル復調する。デジタル復調回路３２は、デジタル復調したトランスポートストリームを誤り訂正・デスクランブル回路３３及び受信状態判定回路３７に出力する。
誤り訂正・デスクランブル回路３３は、デジタル復調回路３２から出力されたトランスポートストリームの誤り訂正及びデスクランブルを行う。誤り訂正・デスクランブル回路３３は、誤り訂正及びデスクランブルしたデスクランブルトランスポートストリームを多重分離回路３４に出力する。
【００３８】
多重分離回路３４は、誤り訂正・デスクランブル回路３３から出力されたデスクランブルトランスポートストリームから、映像を示す映像情報、音声を示す音声情報、ＳＩ情報等の付帯情報及びチケット等を分離する。多重分離回路３４は、デスクランブルトランスポートストリームを分離して得られた映像情報及び音声情報をＭＰＥＧデコーダ３５に出力する。また、多重分離回路３４は、デスクランブルトランスポートストリームを分離して得られたチケットを制御回路３８に出力する。
ＭＰＥＧデコーダ３５は、多重分離回路３４から出力された映像情報及び音声情報をＭＰＥＧデコードする。ＭＰＥＧデコーダ３５は、ＭＰＥＧデコードした映像情報及び音声情報をフレームバッファ回路３６に出力する。
【００３９】
フレームバッファ回路３６は、ＭＰＥＧデコーダ３５から出力された映像情報及び音声情報に基づいて、フレーム毎の映像情報及び音声情報を生成する。フレームバッファ回路３６は、生成した映像情報をディスプレイ(図示せず)に出力して、ディスプレイに映像を表示する。また、フレームバッファ回路３６は、生成した音声情報をスピーカ(図示せず)に出力して、スピーカから音声を出力する。ディスプレイは、例えば、ＣＲＴ(Cathode Ray Tube)、ＰＤＰ(Plasma Display Panel)、ＬＣＤ(Liquid Crystal Display)、有機ＥＬ(Electro Luminescence)等の表示装置である。
【００４０】
受信状態判定回路３７は、デジタル復調回路３２から出力されたトランスポートストリームに基づいて、Ｃ／Ｎ比を算出する。受信状態判定回路３７は、算出したＣ／Ｎ比が所定の閾値未満か否かを判定する。なお、受信状態判定回路３７は、トランスポートストリームに含まれる場面毎にＣ／Ｎ比の判定を行う。また、トランスポートストリームに含まれる場面の区切りは、例えば、上述したようにＳＩ情報に基づいて判定する。閾値には、視聴者が場面を見逃してしまう程、場面の視聴が困難となるＣ／Ｎ比を予め定める。受信状態判定回路３７は、Ｃ／Ｎ判定結果を示すＣ／Ｎ判定結果情報を制御回路３８に出力する。
【００４１】
制御回路３８は、受信状態判定回路３７から出力されたＣ／Ｎ判定結果情報に基づいて、多重分離回路３４から出力されたチケットを保存しておくべきか否かを判定する。具体的には、制御回路３８は、受信状態判定回路３７によって、ある場面におけるＣ／Ｎ比が所定の閾値未満と判定された場合、その場面に対応するチケットをチケット記憶部３９に保存する。このように、制御回路３８は、ある場面におけるＣ／Ｎ比が、視聴が困難なＣ／Ｎ比未満となってしまった場合に、視聴者がいずれかのその場面を見逃してしまったと判定して、その場面に対応するチケットをチケット記憶部３９に保存する。これによって、視聴者は、見逃してしまった場面を再視聴する権利を示すチケットを使用して、見逃してしまった場面を再視聴することができるようになる。また、制御回路３８は、チケットに対応する場面を示すコンテンツ情報の送信を要求する要求信号を、インタフェース部４０を介してＶＯＤサーバ５に出力する。制御回路３８は、正常受信判定部及び再視聴権利情報制御部として機能する。
【００４２】
チケット記憶部３９は、チケットを格納する。チケット記憶部３９は、例えば、メモリやハードディスク等の記憶装置である。
インタフェース部４０は、セットトップボックス４から送信されたコンテンツ信号を受信して、受信したコンテンツ信号を制御回路３８に出力する。インタフェース部４０は、制御回路３８から出力された要求信号をセットトップボックス４に送信する。インタフェース部４０は、例えば、ＨＤＭＩ(High Definition Multimedia Interface)インタフェースによってセットトップボックス４と接続される。
【００４３】
続いて、図６を参照して、本発明の実施の形態１にかかる受信装置３のデジタル放送信号受信処理について説明する。図６は、本発明の実施の形態１にかかる受信装置３のデジタル放送信号受信処理のフローチャートである。
【００４４】
デジタル放送信号を受信すると(Ｓ１０１)、制御回路３８は、多重分離回路３４から出力されたチケットを取得する。制御回路３８は、取得したチケットが最終チケットの次に取得した先頭チケットであるか否かを判定する(Ｓ１０２)。具体的には、前回取得したチケットが、ある番組の最終チケットを取得しており、今回取得したチケットが、その場面の次の番組の先頭チケットを取得したか否かを判定する。ここで、先頭チケット又は最終チケットか否かは、例えば、番組情報２０１又はチケット情報２０２に、先頭チケット又は最終チケットか否かを識別することができる情報を含めることによって判定可能とする。また、前回取得したチケットは、後述するように一時的に保持しておくことによって、参照可能とする。
【００４５】
取得したチケットが最終チケットの次に取得した先頭チケットである場合(Ｓ１０２：Ｙｅｓ)、制御回路３８は、一時的に保持中のチケットを破棄する(Ｓ１０３)。
取得したチケットが最終チケットの次に取得した先頭チケットでない場合(Ｓ１０２：Ｎｏ)、制御回路３８は、一時的に保持中のチケットを破棄は行わない。
【００４６】
制御回路３８は、チケットが正常に取得できているか否かを判定する(Ｓ１０４)。具体的には、制御回路３８は、例えば、チケットから生成したハッシュ値と、署名情報２０３を復号したハッシュ値とを比較する。制御回路３８は、ハッシュ値を比較した結果が一致する場合は、チケットが正常に取得できたと判定し、一致しない場合は、チケットが正常に取得できていないと判定する。
【００４７】
チケットが正常に取得できたと判定した場合(Ｓ１０４：Ｙｅｓ)、制御回路３８は、チケットの保持及び一時的に保持中のチケットの更新を行う(Ｓ１０５)。具体的には、チケットは、前回取得したチケットと、今回取得したチケットとを一時的に保持するようにしている。そのため、制御回路３８は、新たにチケットを取得した場合、今回取得したチケットとして保持していたチケットを、前回取得したチケットとして保持し、新たに取得したチケットを今回取得したチケットとして保持する。このように、一時的に保持するチケットは、例えば、受信装置３が有するメモリ又はハードディスク等の任意の記憶装置に格納することによって一時的に保持する。
チケットが正常に取得できなかったと判定した場合(Ｓ１０４：Ｎｏ)、制御回路３８は、チケットの保持及び一時的に保持中のチケットの更新は行わない。
【００４８】
制御回路３８は、Ｃ／Ｎ比が低下しているか否かを判定する(Ｓ１０６)。具体的には、制御回路３８は、受信状態判定回路３７から出力されたＣ／Ｎ判定結果情報が、Ｃ／Ｎ比が閾値未満であることを示しているか否かを判定する。
Ｃ／Ｎが低下していない場合(Ｓ１０６：Ｎｏ)、制御回路３８は、チケット抜けが発生しているか否かを判定する(Ｓ１０７)。ここで、チケット抜けとは、デジタル放送信号の受信状態が非常に悪く、チケットそのものが１つ以上取得できないことである。例えば、チケットに含まれるいずれかの情報を、チケットの送信順に規則的に変化するようにすることによって、チケット抜けを検出できるようにする。
【００４９】
チケット抜けが発生していない場合(Ｓ１０７：Ｎｏ)、Ｃ／Ｎ比も低下しておらず、チケットも取得できるため、デジタル放送信号の受信状態は良好である。よって、視聴者が場面を見逃すような不測の事態は発生していないことになるため、制御回路３８は、ステップＳ１０１に戻って処理を継続する。
【００５０】
Ｃ／Ｎが低下している場合(Ｓ１０６：Ｙｅｓ)、又は、チケット抜けが発生している場合(Ｓ１０７：Ｎｏ)、デジタル放送信号の受信状態が悪いことになる。つまり、そのチケットに対応するコンテンツ情報も受信できておらず、視聴者が場面を見逃すような不測の事態が発生していると考えられる。そのため、制御回路３８は、チケットの情報のＯＳＤ(On Screen Display)での表示(Ｓ１０８)と、チケットの保存を行う(Ｓ１０９)。
具体的には、チケットの保存は、Ｃ／Ｎ比が低下している場合、今回取得したチケットをチケット記憶部３９に格納する。また、チケット抜けが発生している場合、前回取得したチケットの内容又は今回取得したチケットの内容から、抜けているチケットの内容を補間して生成し、生成したチケットをチケット記憶部３９に格納する。
【００５１】
例えば、チケットに含まれる情報を、チケットの送信順に規則的に変化するようにすることによって、チケットの内容を補間できるようにする。例えば、図３に示すように、チケットがチケット１２１、チケット１２２、チケット１２３、・・・の順に送信され、チケット１２１のチケット情報を"１００１２１"とし、チケット１２２のチケット情報を"１００１２２"とし、チケット１２３のチケット情報を"１００１２３"とした場合を例として説明する。つまり、チケットの送信順にチケット情報が＋１されていく場合を例として説明する。
【００５２】
このような場合において、前回取得したチケット１２１のチケット情報が"１００１２１"であり、今回取得したチケット１２３のチケット情報が"１００１２３"であるときは、チケットのチケット情報が取得した順に＋１されていない。これによって、チケット情報が"１００１２２"のチケット１２２が抜けていることを検出できる。つまり、前記取得したチケット１２１の内容に対して、今回取得したチケット１２３の内容が規則的に変化していない場合、チケット抜けが発生したと判定することができる。この場合、制御回路３８は、チケット１２１のチケット情報の"１００１２１"と、チケット１２３のチケット情報の"１００１２３"とから補間して、チケット１２２のチケット情報が"１００１２２"を生成する。
【００５３】
また、前回取得したチケット１２１又は今回取得したチケット１２３のいずれかから補間して、チケット１２２を生成するようにしてもよい。例えば、上述した例の場合、チケット１２１のチケット情報の"１００１２１"から＋１した"１００１２２"又はチケット１２３のチケット情報の"１００１２３"から−１した"１００１２２"がチケット１２２のチケット情報として算出できる。
【００５４】
このように、ある場面を示すコンテンツ情報が正常受信できなかった場合に、その場面に対応するチケットをチケット記憶部３９に格納することによって残して、後に使用できるようにしている。つまり、ある場面を含んだデジタル放送信号が正常受信できなかった場合に、その場面に対応するチケットを有効化するようにしている。これによって、有効化したチケットを使用することによって、視聴者が見逃してしまった場面の再視聴を可能としている。なお、チケットを使用して見逃してしまった場面を再視聴する処理については、後述する。
【００５５】
ここで、チケットの内容をＯＳＤで表示する場合、制御回路３８が保存するチケットの内容をフレームバッファ回路３６に出力する。フレームバッファ回路３６は、制御回路３８から出力されたチケットの内容を、ＯＳＤによってディスプレイに表示する。例えば、再視聴手段情報２１１〜２１ｋ及び再視聴手段パラメータ情報２２１〜２２ｋの内容を表示する。これによって、視聴者は、見逃してしまった場面がチケットによって再視聴可能になったこと、及び、どのような再視聴手段によって再視聴が可能かを認識することができる。
【００５６】
また、制御回路３８は、ステップＳ１０６において、署名情報２０３に基づいて、チケットの内容が破壊又は改ざんされているか否かを判定して、その判定結果に基づいてチケットを保存するか否かを判定してもよい。例えば、署名情報２０３によって、取得したチケットの内容が破壊されていると判定できる場合、デジタル放送信号の受信状態が悪くなったことによって、チケットの内容が破壊されたものと考えられる。そのため、制御回路３８は、このように判定した場合、前回取得したチケットの内容から、今回取得したチケットの内容を補間して生成し、生成したチケットをチケット記憶部３９に格納するようにしてもよい。また、署名情報２０３によって、今回取得したチケットの内容が改ざんされていると判定できる場合、チケットは不正なものとも考えられる。そのため、制御回路３８は、このように判定した場合、前回取得したチケットの内容から、今回取得したチケットの内容を補間して生成しないようにしてもよい。
【００５７】
また、突然の重大ニュースの発生などによって、番組自体が途中で変わってしまった場合にも、視聴者はそれ以降の場面を見逃してしまうことになる。さらに、地震や津波等の速報ニュースによって映像に、通常の放送とはことなる画像や文字が表示されてしまった場合にも、それらの画像や文字によって場面の映像が縮小又は隠されてしまい、視聴者が場面を見逃してしまったのと同等な程度に十分な視聴をできない場合がある。そのため、制御回路３８は、それらのような状態になっていると判定した場合にも、チケットをチケット記憶部３９に格納してもよい。
【００５８】
ここで、番組自体が途中で変わってしまったか否かは、ＳＩ情報に突然の重大ニュースの発生によって切り替わった緊急の番組であることを示す情報を含めることによって判定可能としてもよく、チケットの番組情報２０１に緊急の番組であることを特定する情報を含めることによって判定可能としてもよい。例えば、速報ニュースが表示されているか否かは、ＳＩ情報に速報ニュースを表示する情報が含まれているか否かを確認することによって判定する。
【００５９】
以上に説明したように、コンテンツ情報が正常受信できなかった場合には、Ｃ／Ｎ比が低下している場合や、チケット抜けが発生した場合の他に、チケットの内容が破壊されている場合、番組自体が途中で変わってしまった場合、及び、速報ニュースが表示されてしまった場合等も含めても良い。つまり、視聴者が場面を見逃してしまった場合や、十分な視聴ができなかった場合等も、コンテンツ情報が正常に受信できなかったと判定して、チケットを有効化するようにしてもよい。
【００６０】
続いて、図７を参照して、本発明の実施の形態１にかかる放送送受信システム１の再視聴処理について説明する。図７は、本発明の実施の形態１にかかる放送送受信システム１の再視聴処理のフローチャートである。
【００６１】
視聴者は、見逃してしまった場面を再視聴する場合、有効化したチケットに含まれる再視聴手段から、再視聴手段を選択する(Ｓ２０１)。例えば、視聴者は、受信装置３を制御するリモートコントローラ(以下、「リモコン」とする)を操作することによって、再視聴手段を選択する。
具体的には、制御回路３８は、ＯＳＤによって再視聴手段情報２１１〜２１ｋ及び再視聴手段パラメータ情報２２１〜２２ｋの内容をディスプレイに表示する。ここで、ディスプレイに表示する内容は、再視聴手段情報２１１〜２１ｋが示す再視聴手段と、再視聴手段パラメータ情報２２１〜２２ｋが示す内容が特定可能な情報であれば、どのような形式に変換して表示してもよい。例えば、再視聴手段情報が再視聴手段が"ＶＯＤ"であることを示す固有の番号を示している場合、再視聴手段としてＶＯＤがあることを示す文字を表示するようにしてもよい。
【００６２】
受信装置３が有するリモコン受光部(図示せず)は、視聴者が操作したリモコンから出力された操作信号に受信して、受信した操作信号を制御回路３８に出力する。操作信号は、視聴者が操作した内容を示す信号である。制御回路３８は、リモコン受光部から出力された操作信号に基づいて、視聴者が選択した再視聴手段を特定する。なお、受信装置３に操作ボタン等の操作部(図示せず)を備えるようにし、視聴者が操作部に対する入力を行うことで、視聴者に再視聴手段を選択させるようにしてもよい。リモコン受光部及び操作部は、入力部として機能する。以降、本実施の形態１では、視聴者によって、再視聴手段として"ＶＯＤ"が選択された場合について説明する。
【００６３】
なお、このように、ディスプレイの表示に従って、視聴者が再視聴手段を選択しないようにしてもよい。例えば、デジタル放送信号受信処理のステップＳ１０８において表示された内容に従って、視聴者がリモコン又は操作ボタンから、アクセスコードやＵＲＬ等のＶＯＤに接続する情報を受信装置３に対して直接入力するようにしてもよい。例えば、再視聴手段パラメータ情報がＶＯＤにおいてチケットと対応付けられた場面が放送されるチャンネル及び放送日時を示していた場合に、視聴者がその放送日時にＶＯＤに接続する情報を受信装置３に対して直接入力する。
【００６４】
制御回路３８は、視聴者が選択した再視聴手段によって再視聴が可能か否かを判定する(Ｓ２０２)。具体的には、制御回路３８は、受信装置３とＶＯＤサーバ５とがネットワークによって接続されており、ＶＯＤサービスが利用可能な状態か否かを判定する。制御回路３８は、ネットワークが接続されており、ＶＯＤサービスが利用可能であれば、再視聴可能と判定し、ネットワークが接続されておらず、ＶＯＤサービスが利用可能でなければ、再視聴可能でないと判定する。
【００６５】
例えば、制御回路３８は、インタフェース部４０を介して、ＶＯＤサーバ５とネットワークによって接続されているか否かを確認する信号をセットトップボックス４又はＶＯＤサーバ５に送信する。制御回路３８は、その信号に応じてセットトップボックス４又はＶＯＤサーバ５が出力した信号に基づいてＶＯＤサービスが利用可能な状態か否かを判定する。
【００６６】
再視聴が可能でないと判定した場合(Ｓ２０２：Ｎｏ)、制御回路３８は、ステップＳ２０１から処理を再開する。例えば、制御回路３８は、視聴者が選択した再視聴手段によって再視聴が可能でなく、他の再視聴手段を選択するように促すメッセージを、ＯＳＤによってディスプレイに表示する。
【００６７】
再視聴が可能であると判定した場合(Ｓ２０２：Ｙｅｓ)、制御回路３８は、チケットを使用して場面の再視聴を行う(Ｓ２０３)。具体的には、制御回路３８は、チケットに対応する場面を示す映像情報及び音声情報の送信を要求する要求信号を、インタフェース部４０を介して、ＶＯＤサーバ５に送信する。この要求信号には、チケット情報２０２、及び、視聴者が選択した再視聴手段に対応する再視聴手段情報が含まれる。例えば、制御回路３８は、視聴者が選択した再視聴手段に対応する再視聴手段情報に含まれるＵＲＬをＶＯＤサーバ５に送信する。この際に、ＩＤ、パスワード及びクレジットカード番号が必要な場合、制御回路３８は、再視聴手段情報に含まれるＩＤ、パスワード及びクレジットカード番号を示す信号も同時に送信する。なお、セキュリティ上の問題から、クレジットカード番号は、上述したようにディスプレイには表示せずに、このタイミングで制御回路３８が送信するのみとしてもよい。
【００６８】
ＶＯＤサーバ５は、受信装置３から送信された要求信号に含まれるチケット情報２０２に基づいて認証を行う。具体的には、ＶＯＤサーバ５は、チケット情報２０２の正当性を確認することによって、正規のチケットに基づいた要求であるか否かを判定する。ＶＯＤサーバ５は、チケット情報２０２が正当であると判断した場合、受信装置３から送信された要求信号に含まれるＵＲＬに対応する場面を示す映像情報及び音声情報を含むコンテンツ信号を、セットトップボックス４を介して受信装置３に対して送信する。この場面を示す映像情報及び音声情報は、コンテンツ情報に相当する。
【００６９】
この際、セットトップボックス４は、コンテンツ信号に含まれる映像情報及び音声情報をＭＰＥＧデコードして受信装置３に送信する。制御回路３８は、セットトップボックス４から送信された映像情報及び音声情報を取得する。制御回路３８は、取得した映像情報及び音声情報を、フレームバッファ回路３６に出力する。フレームバッファ回路３６は、制御回路３８から出力された映像情報及び音声情報に基づいて、場面をディスプレイ及びスピーカから再生する。これによって、視聴者は、見逃してしまった場面を再視聴することができる。
【００７０】
制御回路３８は、場面の再視聴が終了したか否かを判定する(Ｓ２０４)。つまり、制御回路３８は、場面の再生が終了したか否かを判定する。
場面の再視聴が終了していない場合(Ｓ２０４：Ｎｏ)、制御回路３８は、映像情報及び音声情報の取得と、取得した映像情報及び音声情報のフレームバッファ回路３６への出力を継続する。
場面の再視聴が終了した場合(Ｓ２０４：Ｙｅｓ)、制御回路３８は、再視聴した場面に対応するチケットを破棄する(Ｓ２０５)。具体的には、制御回路３８は、チケット記憶部３９から、再視聴した場面に対応するチケットを削除する。このように、チケットを削除することによって、チケットの再使用を防ぐ。つまり、チケットを削除することによって、チケットを無効化する。
【００７１】
以上に説明したように、本実施の形態１によれば、送信装置は、デジタル放送信号に含まれるコンテンツ情報に対応し、コンテンツ情報に基づいて再生されるコンテンツを再視聴する権利を示すチケットを含めて送信するようにしている。受信装置は、送信装置から受信したデジタル放送信号に含まれるコンテンツ情報が正常受信されたか否かを判定する。そして、受信装置は、コンテンツ情報が正常受信されなかったと判定した場合、コンテンツ情報に対応するチケットを有効化するようにしている。
【００７２】
これによれば、仮に、視聴者が見逃してしまったコンテンツを視聴するときに対価が必要とされている場合であっても、受信装置は、有効化したチケットを使用して、視聴者が見逃してしまったコンテンツを再生することができる。具体的に例えると、一般的に有料であるＶＯＤサービスによって、視聴者が見逃してしまったコンテンツを視聴するときには対価が必要である。しかし、本実施の形態１によれば、チケットを使用することによって、ＶＯＤサービスによって、見逃してしまった場面を無料で再視聴することができる。したがって、仮に、視聴者が見逃してしまったコンテンツを視聴するときに対価が必要とされている場合であっても、視聴者が対価を支払うことなく、見逃してしまったコンテンツの視聴を可能とする。
【００７３】
本発明の実施の形態２．
図８を参照して、本発明の実施の形態２にかかる放送送受信システムについて説明する。図８は、本発明の実施の形態２にかかる放送送受信システムの構成図である。
【００７４】
本実施の形態２にかかる放送送受信システム１は、実施の形態１にかかる放送送受信システム１にさらに記録再生装置６を備える。記録再生装置６は、受信装置３と接続されている。なお、実施の形態１と同様の構成要素については説明を省略する。
【００７５】
記録再生装置６は、視聴者が見逃してしまった場面を示す映像情報及び音声情報を記録した光ディスクを再生する。この場面を示す映像情報及び音声情報は、コンテンツ情報に相当する。記録再生装置６は、光ディスクから読み出した映像情報及び音声情報を受信装置３に送信する。記録再生装置６は、受信装置３から出力された映像情報及び音声情報を記憶する。記録再生装置６は、例えば、ハードディスク内蔵光ディスクレコーダである。なお、本実施の形態２では、実施の形態１と同様に、チケットが対応付けられて付加されるコンテンツ情報によって再生されるコンテンツが場面である場合について例示する。
【００７６】
続いて、図９を参照して、本発明の実施の形態２にかかる受信装置３について説明する。図９は、本発明の実施の形態２にかかる受信装置３の構成図である。
【００７７】
本実施の形態２にかかる受信装置３は、実施の形態１にかかる受信装置３の制御回路３８及びインタフェース部４０に代えて、制御回路４１及びインタフェース部４２を有する。なお、実施の形態１と同様となる説明については省略する。
【００７８】
制御回路４１は、視聴者が見逃してしまった場面を光ディスクから再生して再視聴する場合、見逃してしまった場面に対応するチケットを、インタフェース部４２を介して記録再生装置６に送信する。制御回路４１は、インタフェース部４２を介して、記録再生装置６から送信された映像情報及び音声情報をフレームバッファ回路３６に出力することによって、この映像情報及び音声情報が示す場面を再生する。また、制御回路４１は、再生中の場面を記録再生装置６によって記録する場合、フレームバッファ回路３６から映像情報及び音声情報を取得して、インタフェース部４２を介して、記録再生装置６に送信する。
【００７９】
インタフェース部４２は、セットトップボックス４の他に、さらに記録再生装置６とのインタフェースとして機能する。インタフェース部４２は、制御回路４１から出力された映像情報及び音声情報、又は、チケットを記録再生装置６に送信する。インタフェース部４２は、記録再生装置６から送信された映像情報及び音声情報を制御回路４１に出力する。インタフェース部４２は、例えば、ＨＤＭＩインタフェースによって記録再生装置６と接続される。
【００８０】
続いて、図１０を参照して、本発明の実施の形態２にかかるに記録再生装置６について説明する。図１０は、本発明の実施の形態２にかかる記録再生装置６の構成図である。
【００８１】
記録再生装置６は、光ディスクドライブ６１、記憶部６２、制御回路６３、ＭＰＥＧデコーダ６４及びインタフェース部６５を有する。記録再生装置６は、光ディスク６０を着脱可能である。
【００８２】
光ディスク６０は、デジタル放送信号によって放送された番組に含まれる場面が暗号化されて記憶されている。この暗号化は、ＤＲＭ(Digital Rights Management)等の任意の暗号化アルゴリズムで行ってよい。光ディスク６０は、例えば、ＤＶＤ、Ｂｌｕ−ｒａｙ Ｄｉｓｃ(登録商標)等である。
光ディスクドライブ６１は、光ディスク６０に記録されている映像情報及び音声情報を読み出して、読み出した映像情報及び音声情報を制御回路６３に出力する。光ディスクドライブ６１は、制御回路６３から出力された映像情報及び音声情報を、光ディスク６０に書き込む。
記憶部６２は、映像情報及び音声情報が記憶される。
【００８３】
制御回路６３は、インタフェース部６５を介して、受信装置３から送信されたチケットを取得する。制御回路６３は、取得したチケットを使用して、そのチケットに対応する場面を示す映像情報及び音声情報を光ディスク６０から取得する。このように、視聴者が見逃してしまった場面を再視聴する手段として、光ディスク６０が提供されている場合、チケットの再視聴手段情報２１１〜２１ｋのいずれかに、再視聴する手段が"光ディスク"であることを示す固有の番号又は文字列等が含まれる。また、その場合、その再視聴手段情報に対応する再視聴手段パラメータ情報は、コンテンツを復号化する復号化鍵となる。
【００８４】
つまり、制御回路６３は、受信装置３から送信されたチケットを取得した場合、光ディスク６０に格納される映像情報及び音声情報を、光ディスクドライブ６１を介して取得して、取得した映像情報及び音声情報をチケットに含まれる復号化鍵を用いて復号化する。ここで、光ディスク６０に、場面を示す映像情報及び音声情報と、チケット情報２０２とを対応付けて格納しておくことによって、制御回路６３がチケットに対応する映像情報及び音声情報を特定可能とする。そして、制御回路６３は、復号化した映像情報及び音声情報をＭＰＥＧデコーダ６４に出力する。
【００８５】
また、制御回路６３は、インタフェース部６５を介して、受信装置３から受信した映像情報及び音声情報を、ＭＰＥＧエンコーダ(図示せず)によってＭＰＥＧエンコードして、光ディスクドライブ６１に出力又は記憶部６２に記憶する。
【００８６】
ＭＰＥＧデコーダ６４は、制御回路６３から出力された映像情報及び音声情報を、ＭＰＥＧデコードしてインタフェース部６５に出力する。
インタフェース部６５は、ＭＰＥＧデコーダ６４から出力された映像情報及び音声情報を受信装置３に送信する。インタフェース部６５は、受信装置３から送信された映像情報及び音声情報を制御回路６３に出力する。
【００８７】
なお、上述したように、暗号化された映像情報及び音声情報が含まれる光ディスク６０は、例えば、フリーペーパーのように書店や量販店の店頭において無料で配布するようにしてもよい。または、上述した光ディスク６０は、駅や店頭等において無料で配布されている雑誌の付録として配布するようにしてもよい。または、上述した光ディスク６０は、ネットワークと接続された光ディスクライタを書店や量販店に設置することで、光ディスクライタによって無料で暗号化された映像情報及び音声情報をダウンロードして、視聴者が持参した光ディスクに書き込んで持ち帰ることができるようにするようにしてもよい。または、上述した光ディスク６０は、メディア図書館からレンタル可能としてもよい。
【００８８】
このように、チケットによって復号化することができる映像情報及び音声情報が含まれる光ディスク６０を無料で配布することによって、視聴者が対価を支払うことなく、見逃してしまった場面の視聴が可能となる。
【００８９】
続いて、図７を参照して、本発明の実施の形態２にかかる受信装置３及び記録再生装置６の再視聴処理について説明する。なお、本発明の実施の形態２にかかるデジタル放送信号受信処理については、実施の形態１と同様であるため、説明を省略する。
【００９０】
視聴者は、見逃してしまった場面を再視聴する場合、有効化したチケットに含まれる再視聴手段から、再視聴手段を選択する(Ｓ２０１)。以降、本実施の形態２では、視聴者によって、再視聴手段として、"光ディスク"が選択された場合について説明する。
制御回路４１は、視聴者が選択した再視聴手段によって再視聴が可能か否かを判定する(Ｓ２０２)が、再視聴手段が光ディスクの場合は、特に判定を行わない。このように、再視聴手段によっては、ステップＳ２０２を実行しなくてもよい。
【００９１】
制御回路４１は、チケットを使用して場面の再視聴を行う(Ｓ２０３)。具体的には、制御回路４１は、インタフェース部４２を介して、チケットを記録再生装置６に送信する。制御回路６３は、インタフェース部６５を介して、受信装置３から送信されたチケットを取得する。制御回路６３は、光ディスクドライブ６１を介して、光ディスク６０からチケットに対応する場面を示す映像情報及び音声情報を取得する。制御回路６３は、取得した映像情報及び音声情報を、チケットに含まれる暗号化鍵によって復号化してＭＰＥＧデコーダ６４に出力する。ＭＰＥＧデコーダ６４は、制御回路６３から出力された映像情報及び音声情報をＭＰＥＧデコードしてインタフェース部６５を介して受信装置３に送信する。
【００９２】
制御回路４１はインタフェース部４２を介して、記録再生装置６から送信された映像情報及び音声情報を取得する。制御回路４１は、取得した映像情報及び音声情報を、フレームバッファ回路３６に出力する。フレームバッファ回路３６は、制御回路４１から出力された映像情報及び音声情報に基づいて、場面をディスプレイ及びスピーカから再生する。これによって、視聴者は、見逃してしまった場面を再視聴することができる。
【００９３】
以上に説明したように、本実施の形態２によれば、実施の形態１と同様に、仮に、視聴者が見逃してしまったコンテンツを視聴するときに対価が必要とされている場合であっても、視聴者が対価を支払うことなく、見逃してしまったコンテンツの視聴を可能とする。
【００９４】
また、本実施の形態２によれば、光ディスクからの再視聴が可能となるため、ネットワークとの接続環境がなくても、視聴者が見逃してしまった場面を再視聴することが可能となる。よって、デジタル製品の扱いが苦手であり、ネットワーク環境の構築が困難な者であっても、容易に見逃してしまったコンテンツの視聴を行うことができる。
【００９５】
本発明の実施の形態３．
図１１を参照して、本発明の実施の形態３にかかる放送送受信システムについて説明する。図１１は、本発明の実施の形態３にかかる放送送受信システムの構成図である。
【００９６】
本実施の形態３にかかる放送送受信システム１は、ＶＯＤサーバ５と記録再生装置６とがネットワークを介して接続されている点が、実施の形態１にかかる放送送受信システム１と異なる。
【００９７】
本実施の形態３にかかる受信装置３の構成は、実施の形態２と同様であるため、説明を省略する。ただし、本実施の形態３にかかる受信装置３の制御回路４１は、さらに視聴者が見逃してしまった場面を記録再生装置６によって記録してから再視聴する場合にも、視聴者が見逃してしまった場面に対応するチケットを、インタフェース部４２を介して記録再生装置６に送信する。
【００９８】
続いて、図１２を参照して、本発明の実施の形態３にかかるに記録再生装置６について説明する。図１２は、本発明の実施の形態３にかかる記録再生装置６の構成図である。
【００９９】
本実施の形態３にかかる記録再生装置６は、実施の形態２にかかる光ディスク６０及び制御回路６３に代えて、光ディスク６６及び制御回路６７を有する。また、本実施の形態３にかかる記録再生装置６は、実施の形態２にかかる記録再生装置６にさらにネットワークインタフェース部６８を有する。なお、実施の形態２と同様となる説明については省略する。
【０１００】
光ディスク６６は、データを書き込み可能なブランクの光ディスクである。
制御回路６７は、さらに視聴者が見逃してしまった場面を、記録再生装置６によって記録してから再視聴する場合に、受信装置３からチケットが送信されたチケットも取得する。このように、視聴者が見逃してしまった場面を再視聴する手段として、記録してから再視聴する再視聴手段が提供されている場合、チケットの再視聴手段情報２１１〜２１ｋのいずれかに、再視聴する手段が"ＶＯＤを記録してからの再視聴"であることを示す固有の番号又は文字列等が含まれる。また、その場合、その再視聴手段情報に対応する再視聴手段パラメータ情報は、再視聴手段が"ＶＯＤ"である場合と同様である。
【０１０１】
制御回路６７は、取得したチケットを使用して、そのチケットに対応する場面を示す映像情報及び音声情報を含むコンテンツ信号をＶＯＤサーバ５から取得する。なお、制御回路６７は、チケットに対応する場面を示す映像情報及び音声情報の送信を要求する要求信号を、ネットワークインタフェース部６８を介してＶＯＤサーバ５に出力することによって、ＶＯＤサーバ５から映像情報及び音声情報を含むコンテンツ信号を取得する。そして、制御回路６７は、取得したコンテンツ信号に含まれる映像情報及び音声情報を、光ディスクドライブ６１を介して光ディスク６６に記録する。
【０１０２】
ネットワークインタフェース部６８は、ＶＯＤサーバ５から送信されたコンテンツ信号を受信して、受信したコンテンツ信号を制御回路６３に出力する。また、ネットワークインタフェース部６８は、制御回路６３から出力された要求信号をＶＯＤサーバ５に送信する。
【０１０３】
続いて、図１３を参照して、本発明の実施の形態３にかかる放送送受信システム１の再視聴コンテンツ記録処理について説明する。図１３は、本発明の実施の形態３にかかる放送送受信システム１の再視聴コンテンツ記録処理を示すフローチャートである。なお、本発明の実施の形態３にかかるデジタル放送信号受信処理については、実施の形態１と同様であるため、説明を省略する。
【０１０４】
視聴者は、見逃してしまった場面を再視聴する場合、有効化したチケットに含まれる再視聴手段から、再視聴手段を選択する(Ｓ３０１)。以降、本実施の形態３では、視聴者によって、再視聴手段として、"ＶＯＤを記録してからの再視聴"が選択された場合について説明する。
制御回路４１は、チケットを使用して再視聴するコンテンツである場面の記録を行う(Ｓ３０２)。具体的には、制御回路４１は、インタフェース部４２を介して、チケットを記録再生装置６に送信する。このとき、制御回路４１は、チケット記憶部３９から、記録再生装置６に送信したチケットを削除する。制御回路６７は、インタフェース部６５を介して、受信装置３から送信されたチケットを取得する。
【０１０５】
ここで、制御回路６７がチケットを取得した場合に、取得したチケットにおいて選択された再視聴手段が"光ディスク"又は"ＶＯＤを記録してからの再視聴"等のいずれであるかの判定は、制御回路４１によってチケットにいずれが選択されたかを識別することができる情報を含めることによって判定可能としてもよく、制御回路４１がチケットと共に選択された再視聴手段を示す情報を記録再生装置６に出力することによって判定可能としてもよい。
【０１０６】
制御回路６７は、取得したチケットに対応する場面を示す映像情報及び音声情報の送信を要求する要求信号を、ネットワークインタフェース部６８を介して、ＶＯＤサーバ５に送信する。なお、この要求信号に含める情報は、実施の形態１と同様である。ＶＯＤサーバ５は、記録再生装置６から送信された要求に対応する場面を示す映像情報及び音声情報を含むコンテンツ信号を、記録再生装置６に対して送信する。制御回路６７は、ＶＯＤサーバ５から送信されたコンテンツ信号を、ネットワークインタフェース部６８を介して取得する。制御回路６７は、取得したコンテンツ信号に含まれる映像情報及び音声情報を光ディスク６６又は記憶部６２へ順次記録していく。
【０１０７】
制御回路６７は、場面を示す映像情報及び音声情報の記録が終了したか否かを判定する(Ｓ３０３)。具体的には、制御回路６７は、ＶＯＤサーバ５からの映像情報及び音声情報の送信が終了したか否かを判定する。
映像情報及び音声情報の記録が終了していない場合(Ｓ３０３：Ｎｏ)、制御回路６７は、映像情報及び音声情報の取得と、取得した映像情報及び音声情報の光ディスク６６又は記憶部６２への記録を継続する。
【０１０８】
映像情報及び音声情報の記録が終了した場合(Ｓ３０３：Ｙｅｓ)、制御回路６７は、再視聴した場面に対応するチケットを破棄する(Ｓ３０４)。
なお、番組及び場面のチャンネル及び放送日時が決まっているＶＯＤサービスによって再視聴を可能とする場合、ステップＳ３０３における終了の判定は行わずに、ステップＳ３０２において、映像情報及び音声情報の記録の予約のみを行うようにしてもよい。
【０１０９】
以上に説明したように、本実施の形態３によれば、視聴者が見逃してしまったコンテンツを、チケットを使用して、視聴者が見逃してしまったコンテンツを記録再生装置６又は光ディスク６６に記録することができる。つまり、視聴者は、視聴者が見逃してしまったコンテンツを記録した記録再生装置６又は光ディスク６６から、見逃してしまったコンテンツを再生して視聴することができる。したがって、本実施の形態３によれば、実施の形態１と同様に、仮に、視聴者が見逃してしまったコンテンツを視聴するときに対価が必要とされている場合であっても、視聴者が対価を支払うことなく、見逃してしまったコンテンツの視聴を可能とする。
【０１１０】
本発明の実施の形態４．
図１４を参照して、本発明の実施の形態４にかかる放送送受信システムについて説明する。図１４は、本発明の実施の形態４にかかる放送送受信システムの構成図である。
【０１１１】
本実施の形態４にかかる放送送受信システム１は、実施の形態３にかかる放送送受信システム１にさらに携帯端末装置７を備える。なお、実施の形態１と同様の構成要素については説明を省略する。
【０１１２】
本実施の形態４にかかる受信装置３は、ＯＳＤによって再視聴手段情報２１１〜２１ｋ及び再視聴手段パラメータ情報２２１〜２２ｋの内容をディスプレイに表示する場合に、同時にチケットの内容を示す３次元バーコードも表示する。
携帯端末装置７は、撮影機能及び無線通信機能を有する。携帯端末装置７は、例えば、携帯電話、ＰＨＳ(Personal Handyphone System）、ＰＤＡ(Personal Digital Assistant)又は携帯ゲーム機等である。携帯端末装置７は、例えば、Ｂｌｕｅｔｏｏｔｈ(登録商標)又は赤外線等の無線通信手段によって、記録再生装置６と通信可能である。携帯端末装置７は、受信装置３のディスプレイに表示された３次元バーコードを撮影することによって、３次元バーコードを示す３次元バーコード情報を取得する。携帯端末装置７は、３次元バーコード情報を無線通信手段によって、記録再生装置６に送信する。
【０１１３】
本実施の形態４にかかる受信装置３の構成は、実施の形態３と同様であるため、説明を省略する。ただし、本実施の形態４にかかる受信装置３の制御回路４１は、上述したように、さらにＯＳＤによって再視聴手段情報２１１〜２１ｋ及び再視聴手段パラメータ情報２２１〜２２ｋの内容をディスプレイに表示する場合に、同時にチケットの内容に基づいて、チケットの内容を示す３次元バーコードを生成して、生成した３次元バーコードをディスプレイに表示する。
【０１１４】
続いて、図１５を参照して、本発明の実施の形態４にかかるに記録再生装置６について説明する。図１５は、本発明の実施の形態４にかかる記録再生装置６の構成図である。
【０１１５】
本実施の形態４にかかる記録再生装置６は、実施の形態３にかかる制御回路６７に代えて、制御回路７０を有する。本発明の形態４にかかる記録再生装置６は、実施の形態３にかかる記録再生装置６にさらに無線通信部６９を有する。なお、実施の形態３と同様となる説明については省略する。
【０１１６】
無線通信部６９は、携帯端末装置７から送信された３次元バーコード情報を示す無線通信信号を、制御回路６７が扱うことのできる形式に変換する。無線通信部６９は、変換した３次元バーコード情報を制御回路６７に出力する。
制御回路７０は、制御回路６７から出力された３次元バーコード情報に基づいて、チケットを生成する。この場合、制御回路７０は、視聴者によって選択された再視聴手段が"ＶＯＤを記録してからの再視聴"であるものとして処理を実行する。
【０１１７】
続いて、図１６を参照して、本発明の実施の形態４にかかるに携帯端末装置７について説明する。図１６は、本発明の実施の形態４にかかる携帯端末装置７の構成図である。
【０１１８】
カメラ部７１は、受信装置３のディスプレイに表示された３次元バーコードを撮影する。カメラ部７１は、撮影した３次元バーコードの内容を示す３次元バーコード情報を生成する。カメラ部７１は、生成した３次元バーコード情報を制御回路７６に出力する。
表示部７２は、制御回路７６から出力された信号に基づいて、任意の映像を表示する。
【０１１９】
入力部７３は、携帯端末装置７の使用者からの入力を受ける。入力部７３は、入力された内容を示す入力信号を制御回路７６に出力する。入力部７３は、例えば、操作ボタン及びニューロポインター(登録商標)等である。
無線通信部７４は、制御回路７６から出力された３次元バーコード情報を、無線通信信号に変換して記録再生装置６に送信する。
記憶部７５は、３次元バーコード情報が格納される。記憶部７５は、例えば、メモリ又はハードディスク等の記憶装置である。
【０１２０】
制御回路７６は、携帯端末装置７を制御する。制御回路７６は、携帯端末装置７の使用者からの撮影を行うことを指示する入力に応じて、カメラ部７１によって撮影を要求する信号をカメラ部７１に出力する。制御回路７６は、カメラ部７１から出力された３次元バーコード情報を記憶部７５に格納する。また、制御回路７６は、携帯端末装置７の使用者からの３次元バーコードの送信を指示する入力に応じて、記憶部７５に格納された３次元バーコード情報を無線通信部７４に出力する。この際に、制御回路７６は、記憶部７５から無線通信部７４に出力した３次元バーコード情報を削除する。
【０１２１】
続いて、図１７を参照して、本発明の実施の形態４にかかる放送送受信システム１の再視聴コンテンツ記録処理について説明する。図１７は、本発明の実施の形態４にかかる放送送受信システム１の再視聴コンテンツ記録処理を示すフローチャートである。なお、本発明の実施の形態４にかかるデジタル放送信号受信処理については、実施の形態１と同様であるため、説明を省略する。
【０１２２】
視聴者は、見逃してしまった場面を再視聴する場合、有効化したチケットに含まれる再視聴手段から、再視聴手段を選択する(Ｓ３０５)。以降、本実施の形態４では、視聴者によって、再視聴手段として、"ＶＯＤを記録してからの再視聴"が選択された場合について説明する。
【０１２３】
ここで、さらに視聴者がリモコンを操作することによって、３次元バーコードを表示する指示が入力された場合、制御回路４１は、ステップＳ３０５において再視聴手段が選択されたチケットの内容を示す３次元バーコードの３次元バーコード情報を生成する。具体的には、リモコン受光部(図示せず)は、視聴者が操作したリモコンから出力された操作信号に受信して、受信した操作信号を制御回路４１に出力する。制御回路４１は、リモコン受光部から出力された操作信号に基づいて、視聴者が３次元バーコードの表示を指示したことを特定する。なお、３次元バーコード情報は、制御回路４１が記憶装置に格納された変換式を利用して算出する等、どのような手法によって生成してもよい。制御回路４１は、生成した３次元バーコード情報に基づいて、ＯＳＤによって３次元バーコードをディスプレイに表示する(Ｓ３０６)。このときに、制御回路４１は、チケット記憶部３９から、３次元バーコードを生成して表示したチケットを削除する。これによって、このチケットによって不正に複数回再視聴が行われることを防ぐ。
【０１２４】
携帯端末装置７の入力部７３は、視聴者から３次元バーコードを撮影することを指示する入力があると、その入力内容を示す入力信号を制御回路７６に出力する。制御回路７６は、入力部７３からの入力信号に応じて、撮影を要求する信号をカメラ部７１に出力する。カメラ部７１は、制御回路７６から出力された信号に応じて、３次元バーコードを撮影して、撮影した３次元バーコードを示す３次元バーコード情報を制御回路７６に出力する(Ｓ３０７)。制御回路７６は、カメラ部７１から出力された３次元バーコード情報を記憶部７５に格納する。
【０１２５】
入力部７３は、視聴者から３次元バーコードの送信を指示する入力があると、その入力内容を示す入力信号を制御回路７６に出力する。制御回路７６は、入力部７３から入力信号に応じて、記憶部７５に格納された３次元バーコード情報を無線通信部７４に出力する。無線通信部７４は、制御回路７６から出力された３次元バーコード情報を無線通信信号に変換して記録再生装置６に送信する(Ｓ３０８)。
【０１２６】
記録再生装置６の無線通信部６９は、携帯端末装置７から送信された３次元バーコード情報を示す無線通信信号を、制御回路６７が扱うことのできる形式に変換する。無線通信部６９は、変換した３次元バーコード情報を制御回路６７に出力する。制御回路７０は、制御回路６７から出力された３次元バーコード情報に基づいて、チケットを生成する。なお、チケットは、制御回路４１が有するメモリ又はハードディスク等の記憶装置(図示せず)に格納された変換式を利用して算出する等、どのような手法によって生成してもよい。以降、制御回路４１は、生成したチケットを使用して再視聴するコンテンツである場面の記録を行う(ステップＳ３０２〜３０４)が、実施の形態３と同様であるため、説明を省略する。
【０１２７】
以上に説明したように、本実施の形態４によれば、実施の形態３と同様に、視聴者が見逃してしまったコンテンツを記録再生装置６又は光ディスク６６に記録して、記録したコンテンツを再生して視聴することができる。したがって、本実施の形態４によれば、実施の形態１と同様に、仮に、視聴者が見逃してしまったコンテンツを視聴するときに対価が必要とされている場合であっても、視聴者が対価を支払うことなく、見逃してしまったコンテンツの視聴を可能とする。
【０１２８】
また、本実施の形態１乃至４によれば、コンテンツ配信側において、新たな配信サービスを提供しなくても、既存のＶＯＤサービスや、雑誌の付録等の再視聴用コンテンツ発布によって安価に、視聴者が見逃してしまったコンテンツを再視聴可能とするサービスが実現できる。つまり、既存のインフラ以外に大きな投資を行うことなく、見逃したコンテンツを再視聴可能とするサービスを提供することができる。
【０１２９】
なお、本発明は上記実施の形態に限られたものではなく、趣旨を逸脱しない範囲で適宜変更することが可能である。
【０１３０】
本実施の形態では、チケットを対応付けて付加するコンテンツを場面とした場合について例示したが、これに限られない。例えば、チケットを対応付けて付加するコンテンツを番組としてもよい。
【０１３１】
また、本実施の形態では、場面にチケットを対応付けて付加して、チケットを使用してその場面を再視聴することができるようにしている。しかし、チケットを使用して再視聴することができる範囲を、チケットを対応付けた範囲に限定しなくても良い。例えば、場面にチケットを対応付けて付加した場合であっても、チケットを使用して、その場面を含む番組全体を再視聴することができるようにしてもよい。例えば、番組に含まれるチケットのうち、所定の割合以上のチケットのチケット抜けが発生した場合に、制御回路がチケット情報を変更して、そのチケットによって番組全体を再視聴することができるようにしてもよい。
【０１３２】
また、本実施の形態では、チケット記憶部に格納することによってチケットを有効化しているが、チケットを有効化する方法は、これに限られない。例えば、制御回路が受信したチケットを順次チケット記憶部に格納するようにしてもよい。その際に、チケットと、チケットの有効無効を示すチケット有効無効情報とを対応付けて格納する。そして、チケット有効無効情報を更新することによって、チケットを有効化又は無効化するようにしてもよい。
【０１３３】
また、本実施の形態４では、３次元バーコードを使用する場合について例示したが、これに限られない。例えば、３次元バーコードの他に、ＱＲコード(登録商標)等の２次元バーコードのような他のバーコードを使用してもよい。
【符号の説明】
【０１３４】
１    放送送受信システム
２    送信装置
３    受信装置
４    セットトップボックス
５    ＶＯＤサーバ
７    携帯端末装置
６    記録再生装置
２１    多重化部
２２    伝送送信部
３０    アンテナ
３１    チューナ
３２    デジタル復調回路
３３    誤り訂正・デスクランブル回路
３４    多重分離回路
３５    ＭＰＥＧデコーダ
３６    フレームバッファ回路
３７    受信状態判定回路
３８、４１    制御回路
３９    チケット記憶部
４０、４２    インタフェース部
６０、６６    光ディスク
６１    光ディスクドライブ
６２    記憶部
６３、６７、７０    制御回路
６４    ＭＰＥＧデコーダ
６５    インタフェース部
６８    ネットワークインタフェース部
６９    無線通信部
７１    カメラ部
７２    表示部
７３    入力部
７４    無線通信部
７５    記憶部
８１、８２、８３、８４    トランスポートストリーム
１０１、１０２、１０３、１０ｍ    番組
１１１、１１２、１１ｎ    場面
１２１、１２２、１２ｎ    チケット
２０１    番組情報
２０２    チケット情報
２０３    署名情報
２１１、２１２、２１ｎ    再視聴手段
２２１、２２２、２２ｎ    再視聴手段パラメータ情報
【図１】
2011259220.tif 000003
【図２】
2011259220.tif 000004
【図３】
2011259220.tif 000005
【図４】
2011259220.tif 000006
【図５】
2011259220.tif 000007
【図６】
2011259220.tif 000008
【図７】
2011259220.tif 000009
【図８】
2011259220.tif 000010
【図９】
2011259220.tif 000011
【図１０】
2011259220.tif 000012
【図１１】
2011259220.tif 000013
【図１２】
2011259220.tif 000014
【図１３】
2011259220.tif 000015
【図１４】
2011259220.tif 000016
【図１５】
2011259220.tif 000017
【図１６】
2011259220.tif 000018
【図１７】
2011259220.tif 000019